(57)【要約】【課題】  本発明は、鳥の立ち留まりを防いでフンや営巣行動等の鳥害を抑えることができる鳥害防止具を提供することにある。【解決手段】  電線Ｄに取り付ける電線取付部２と、電線取付部２から外周に突出する突出部３とを備えており、突出部３の先端２４または突出部３に取り付けた先端部材３４，４４，５４は、鳥２０が立ち留まったときの荷重で変形し、且つ鳥２０が離れたときに変形状態から元の状態に復帰する弾性を有していることを特徴とする。【選択図】      図１
2013247871.tif 000002
【特許請求の範囲】
【請求項１】
電線に取り付ける電線取付部と、電線取付部から外周側に突出する突出部とを備えており、突出部の先端は、鳥が立ち留まったときの荷重で変形し、且つ鳥が離れたときに変形状態から元の状態に復帰する弾性を有していることを特徴とする鳥害防止具。
【請求項２】
電線に取り付ける電線取付部と、電線取付部から外周側に突出する突出部とを備えており、突出部の先端には、鳥が立ち留まったときの荷重で変形し、且つ鳥が離れたときに変形状態から元の状態に復帰する弾性を有する先端部材が取り付けてあることを特徴とする鳥害防止具。
【発明の詳細な説明】
【技術分野】
【０００１】
本発明は、電線に沿って取り付けることにより鳥の飛来や営巣を防ぐ鳥害防止具に関するものである。
【背景技術】
【０００２】
鳥害防止具の一般的なものとしては、実開昭５５−２２１７号公報に開示されるもののように、突出部と電線への取付部を有するものである。また、上記鳥害防止具を電線に取り付けることにより、突出部が障害となって電線に立ち留まろうとする鳥の足場をなくすものであった。
【先行技術文献】
【特許文献】
【０００３】
【特許文献１】実開昭５５−２２１７号公報
【発明の概要】
【発明が解決しようとする課題】
【０００４】
しかしながら、電線に鳥害防止具を設置したものの、その鳥害防止具の外周部に鳥が立ち留まる事象が報告されており、電線に鳥害防止具を取り付けた後も立ち留まった鳥によるフンの被害や、電線設備類への営巣行動が解消されない問題点があった。  
本発明は、上記課題を鑑みてなされたものであり、鳥の立ち留まりを防いでフンや営巣行動等の鳥害を抑えることができる鳥害防止具を提供することにある。  
【課題を解決するための手段】
【０００５】
本発明のうち請求項１記載の発明は、電線に取り付ける電線取付部と、電線取付部から外周側に突出する突出部とを備えており、突出部の先端は、鳥が立ち留まったときの荷重で変形し、且つ鳥が離れたときに変形状態から元の状態に復帰する弾性を有していることを特徴とする。
【０００６】
本発明の請求項２記載の発明は、電線に取り付ける電線取付部と、電線取付部から外周側に突出する突出部とを備えており、突出部の先端には、鳥が立ち留まったときの荷重で変形し、且つ鳥が離れたときに変形状態から元の状態に復帰する弾性を有する先端部材が取り付けてあることを特徴とする。
【発明の効果】
【０００７】
本発明のうち請求項１記載の発明によれば、鳥害防止具に鳥が飛来したとき、外周側に突出した先端が障害となることから鳥の立ち留まりを防ぐことができる。さらに、鳥害防止具の先端に鳥が立ち留まったときには、鳥の荷重で先端が変形して起立状態を維持できなくなることから、鳥が立ち留まり続けることができなくなる。さらに、鳥が飛び去った後は、先端が弾性復帰して元の状態に戻ることから、鳥の立ち留まりに対して鳥害防止具が電線に取り付けてあれば、半永久的に機能することになる。
【０００８】
本発明のうち請求項２記載の発明によれば、新設の他、先端部材のみを既存の鳥害防止具に取り付けることができるので、鳥害防止具すべてを新設のものに取り換えることなく低コストで鳥の立ち留まりを防ぐことができる。
【図面の簡単な説明】
【０００９】
【図１】（ａ）は、本実施による鳥害防止具の一部を縦断面した正面図であり、（ｂ）は、本実施による鳥害防止具を設置した現場全体を示す側面図である。
【図２】（ａ）〜（ｄ）本実施による鳥害防止具の作用図を示す一部を拡大した正面図である。
【図３】（ａ）（ｂ）は、それぞれ本発明による鳥害防止具の他の実施形態を示す正面図である。
【図４】（ａ）（ｃ）は、本発明による先端部材の他の実施形態を示す一部を拡大した正面図であり、（ｂ）（ｄ）は、（ａ）と（ｃ）の鳥害防止具の作用状態を示す一部を拡大した正面図である。
【発明を実施するための形態】
【００１０】
以下、本発明の鳥害防止具の実施形態を図面に基づいて説明する。
本実施による鳥害防止具は、図１（ａ）のように、防止具本体１と、先端部材４とから構成してある。また、防止具本体１は、電線Ｄに脱着可能に取り付けできる電線取付部２と、電線取付部２の上部から垂直に起立する突出部３とから構成される。そして、本実施形態のものでは、図１（ｂ）のように、この鳥害防止具を電線Ｄに沿って間隔をあけて複数取り付け、各鳥害防止具の突出部３の間にワイヤーＷを架設して使用するものである。
【００１１】
上記の防止具本体１を構成する電線取付部２は、図１（ａ）のように、電線押さえ部５と、電線受け部６と、開閉調整部７とから構成される。電線押さえ部５と電線受け部６は、ほぼ一対の板形状をなしており、互いの内周面には電線Ｄを保持する電線保持部１２を有している。さらに、電線押さえ部５と電線受け部６は、上部を軸部１１ａで水平軸回転自在に軸支してあることにより、電線押さえ部５が電線受け部６から開閉自在な構造となる。また、電線押さえ部５と電線受け部６の内周側には、半円弧状に窪む電線受け溝部１２，１２がそれぞれ設けてある。これにより、電線Ｄが電線押さえ部５と電線受け部６に把持されたときに、電線受け溝部１２，１２に嵌り込むことで電線Ｄが離脱しにくい状態となる。開閉調整部７は、ネジ部９と、ナット１０とから構成される。ネジ部９は、電線押さえ部５の中間部に軸部１１ｂで水平軸回転自在に軸支されており、ネジ部９の先端側は、電線受け部６の中間部に挿通している。ナット１０は、ネジ部９の先端側を電線受け部６の外周側で螺合している。これにより、ナット１０の締付具合によって電線押さえ部５の電線受け部６との開閉角度をネジ部９の長さの範囲で調整することができる。
【００１２】
上記の防止具本体１を構成する突出部３は、図１（ａ）（ｂ）のように、前述した電線取付部２の上部から垂直に起立した起立部１３と、複数のネジ孔１４ａ，１４ｂ，１４ｃと、ワイヤー保持部１５と、先端部材被取付部１６とから構成される。起立部１３は、上下に長いブロック状をなすとともに頂部が丸みを帯びており、前述した電線受け部６と一体に成形されている。ネジ孔１４ａ，１４ｂ，１４ｃは、電線Ｄと直交する方向にほぼ水平に貫通しており、起立部１３の上下に間隔をあけて複数箇所に設けてある。ワイヤー保持部１５は、ワイヤー係止部１７と、ネジ回し部１８とから構成される。ワイヤー係止部１７は、係止溝１９とネジ通し孔１７ａを有しており、ワイヤーＷを係止したときに離脱しにくい構造となっている。また、ネジ回し部１８は、ワイヤー係止部１７のネジ通し孔１７ａに挿通し、ワイヤー係止部１７を供回りさせることなく、起立部１３のネジ孔１４ａ，１４ｂ，１４ｃのいずれかに螺合できるように形成してある。先端部材被取付部１６は、起立部１３の頂部に設けてあり、本実施のものでは、上方に突出した凸状をなしている。
【００１３】
突出部３には、先端部材４が取り付けてある。先端部材４は、本実施のものでは長さが３〜５ｃｍ程度でパイプ状に形成してあるとともに樹脂で成形されている。そして、前述した突出部３の先端部材被取付部１６に、先端部材４のパイプの孔部４ａを嵌合することにより、防止具本体１の上部から先端部材４が起立する状態で取り付けられる。これにより、図２（ａ）（ｂ）のように、鳥２０が鳥害防止具に立ち留ろうとして先端部材４に載ったときに、先端部材４が変形して倒伏することで鳥２０の足場が不安定になる。したがって、鳥２０が立ち留まれずにその場から飛び去らざるを得ない状態になる。その後、先端部材４は、図２（ｃ）（ｄ）のように、弾性復帰して元の起立した状態に戻ることで、再び鳥２０が本実施による鳥害防止具に立ち留まろうとしても、それを防ぐことができるようになる。
【００１４】
本発明の鳥害防止具は、上記実施形態のように、先端部材４を防止具本体１に取り付ける構造でもよいが、図３（ａ）のように、二色成形等で硬質樹脂による防止具本体２１と弾性を有する素材による先端２４が一体成形してあるものでもよい。また、図３（ｂ）のように、先端部材３４のみを既設の鳥害防止具３１に取り付けることもできる。また、先端部材４，３４，４４，５４は、上記実施形態のようなパイプ状のもの以外に、図４（ａ）（ｂ）のように、板ばね（先端部材）４４状のものや、あるいは、図４（ｃ）（ｄ）のように、ゴム棒（先端部材）５４状のもの等でもよく、先端部材４，３４，４４，５４または先端２４に鳥２０が載ったとき、その荷重で変形して倒伏するとともに、鳥２０が飛び去った後に元の起立した状態に復帰するものであれば、弾性の度合い（柔軟性やしなやなかさ等）、形状や大きさ、防止具本体１の外周から突出する長さを特定するものではない。また、本発明の先端２４あるいは先端部材４，３４，４４，５４を適用する鳥害防止具の種類については、図１（ａ）（ｂ）に示す離隔具タイプのものや図３（ｂ）に示す針山タイプの他、その態様について限定しない。さらに、鳥害防止具の電線Ｄへの電線取付部２は、上記各実施形態のものの他に、電線Ｄに取り付けて突出部３を電線Ｄの外周に向けて突出する状態を保つことのできる構造であれば特に限定するものではない。
【符号の説明】
【００１５】
２  電線取付部
３  突出部
４，３４，４４，５４  先端部材
２０  鳥
２４  先端
Ｄ  電線
【図１】
2013247871.tif 000003
【図２】
2013247871.tif 000004
【図３】
2013247871.tif 000005
【図４】
2013247871.tif 000006